(57)【要約】【課題】藻場や魚礁の回復、或いは、再生を計る工事の工期短縮を計ると共に、蛇篭等の流失を防止し得る環境調和型水中構造物を提供する。【解決手段】防波堤や護岸等の着底式の水中構築物である。この水中構築物１は、水中構築物本体３と、その港内Ｂ側及び港外Ａ側に配したフーチング４から構成されている。このフーチング４上に藻類の定着や魚介類の蝟集を計る藻類定着体兼魚介類蝟集体２０を設置すると共に、該藻類定着体兼魚介類蝟集体２０内に栗石やカキ殻等の藻類定着材を充填させた蛇篭（図示せず）を詰める。【選択図】　　　　図１
2004068379.tif 000002
【特許請求の範囲】
【請求項１】
防波堤や護岸等の着底式の水中構築物において、水中構築物本体と、該水中構築物本体の港内側及び港外側に配したフーチングから構成され、かつ、前記フーチング上に藻類の定着や魚介類の蝟集を計る藻類定着体兼魚介類蝟集体を設置し、かつ、該藻類定着体兼魚介類蝟集体内に栗石やカキ殻等の藻類定着材を充填させた蛇篭を詰めたことを特徴とする環境調和型水中構築物。
【請求項２】
藻類定着体兼魚介類蝟集体を、箱形の枠体および該枠体の面に取り付けた複数の面格子により形成するとともに、前記藻類定着体兼魚介類蝟集体内に栗石やカキ殻等の藻類定着材を充填させた蛇篭を詰めた請求項１記載の環境調和型水中構築物。
【請求項３】
水中構築物本体に、港外と港内を連通する透過部を設け、港内の浄化機能や魚道機能を高めた請求項１記載の環境調和型水中構築物。
【請求項４】
水中構築物本体に、港外と港内を連通する透過部を設けるとともに、該透過部に鉄骨等を任意の形状に組み付けた骨組み構造物を取り付け、魚類の蝟集効果を高めた請求項１記載の環境調和型水中構築物。
【請求項５】
港内側のフーチングの上方に人工浅場を形成し、藻場機能を付加してなる請求項１記載の環境調和型水中構築物。
【請求項６】
港内側のフーチング上に、貝類保育牧柵及び貝類保育箱を昇降させる昇降設備を設置してなる請求項１記載の環境調和型水中構築物。
【請求項７】
フーチングの上面に複数の凹部を設けるとともに、該凹部上に藻類定着体兼魚介類蝟集体を設置させてなる請求項１記載の環境調和型水中構築物。
【発明の詳細な説明】
【０００１】
【発明の属する技術分野】
本発明は、防波堤や護岸等の着底式の水中構築物を構築する工事によって喪失した藻場や魚礁を回復又は再生させるための環境調和型水中構築物に関する。
【０００２】
【従来の技術】
従来、防波堤や護岸の工事終了後、その近傍に蛇篭等を沈めて藻場や魚礁の回復や再生を計ることが行われている。
【０００３】
【発明が解決しようとする課題】
ところが、上記のように、防波堤や護岸の工事終了後、その近傍に蛇篭等を沈めて藻場や魚礁の回復や再生を計る工事を行うと、その分、工事期間が長期化したり、蛇篭等が流失して藻場や魚礁の回復や再生が困難になるなどの問題があった。
【０００４】
本発明は、このような問題を解消するためになされたものであり、藻場や魚礁の回復、或いは、再生を計る工事の工事期間の短縮を計ると共に、蛇篭等の流失を防止し得る環境調和型水中構造物を提供することを目的とするものである。
【０００５】
【課題を解決するための手段】
上記の目的を達成するため、本発明の環境調和型水中構築物は、防波堤や護岸等の着底式の水中構築物において、水中構築物本体と、該水中構築物本体の港内側及び港外側に配したフーチングから構成され、かつ、前記フーチング上に藻類の定着や魚介類の蝟集を計る藻類定着体兼魚介類蝟集体を設置し、かつ、該藻類定着体兼魚介類蝟集体内に栗石やカキ殻等の藻類定着材を充填させた蛇篭を詰めたことを特徴とする。
【０００６】
本発明の藻類定着体兼魚介類蝟集体は、箱形の枠体および該枠体の面に取り付けた複数の面格子により形成するとともに、前記藻類定着体兼魚介類蝟集体内に栗石やカキ殻等の藻類定着材を充填させた蛇篭を詰めたことを特徴とする。
【０００７】
本発明の水中構築物本体は、港外と港内を連通する透過部を設け、港内の浄化機能や魚道機能を高めることを特徴とする。
【０００８】
本発明の水中構築物本体は、港外と港内を連通する透過部を設けるとともに、該透過部に鉄骨等を任意の形状に組み付けた骨組み構造物を取り付け、魚類の蝟集効果を高めることを特徴とする。
【０００９】
また、本発明は、港内側のフーチングの上方に人工浅場を形成し、藻場機能を付加している。また、本発明は、港内側のフーチング上に、貝類保育牧柵及び貝類保育箱を昇降させる昇降設備を設置している。更に、本発明は、フーチングの上面に複数の凹部を設けるとともに、該凹部上に藻類定着体兼魚介類蝟集体を設置させている。
【００１０】
【発明の実施の形態】
以下、本発明の実施の形態を図面を用いて説明する。
（１）第１の実施形態について
図１において、１は、環境調和型防波堤であり、海水交換型ハイブリッドケーソン２によって構築されている。
【００１１】
ハイブリッドケーソン（以下、ケーソンという）２は、図２に示すように、中空状の函体（以下、本体という）３と、本体３の下端部において、港内側及び港外側に配したフーチング４とから構成され、その上端部は、天板（図１参照）５で覆われている。
【００１２】
上記本体３は、側壁６と、側壁６を支持する複数の隔壁７から構成され、側壁６は、鋼板８と、鋼板８に立設させた多数のスタッド９と、鉄筋１０と、コンクリート１１から構成されている。フーチング４及び本体の底部１８は、鉄骨１２と、鉄筋１０ａと、コンクリート１１ａから構成されている。
【００１３】
図１に示すように、ケーソン２は、消波機能を備えている。即ち、ケーソン２は、その前壁面１３に、ケーソン内の遊水室１４と港外Ａとを連通させる縦形の多数の消波スリット１５を有し、遊水室１４内の波頭と港外Ａとの水位差を利用して波のエネルギーを吸収し、以て、消波するように構成されている。
【００１４】
また、上記ケーソン２は、その背面に、遊水室１４と港内Ｂとを連通させる複数の導水管１６を有しており、これらの導水管１６を通して港外Ａの新鮮な海水を港内Ｂに導入し、以て、港内の浄化を計るようになっている。
【００１５】
一方、ケーソン２は、フーチング４上に藻礁や漁礁を形成するための藻類定着体兼魚介類蝟集体２０を備えている。この藻類定着体兼魚介類蝟集体２０は、例えば、直方体形の枠体２１と、この枠体２１の６面に取り付けられた面格子２２から形成されている。この藻類定着体兼魚介類蝟集体２０の構造や材質等は、どのようなものでも差し支えがない。要は、藻類の定着や、魚介類の蝟集効果が期待できるものであれば良い。
【００１６】
また、所望により、藻類定着体兼魚介類蝟集体２０内に、栗石やカキ殻等の藻類定着材を詰めた蛇篭（図示せず）を詰め込むことも可能である。その場合は、最後に面格子２２の一つを枠体２１に溶接により固定する。
【００１７】
藻類定着体兼魚介類蝟集体２０は、ケーソン２の建造時、或いは、建造後に、フーチング４の上面に取り付けられる。その取付方法としては、例えば、フーチング４の鉄骨１２に棒状の接続部（図示せず）を溶接し、この接続部に藻類定着体兼魚介類蝟集体２０を溶接により固定する。
【００１８】
また、所望により、上記遊水室１４内に栗石やカキ殻等の藻類定着材３０を敷き詰め、藻場として活用しても良い。
【００１９】
上記のケーソン２によって着底式の防波堤１を構築すると、図３に示すように、フーチング４上に設置した藻類定着体兼魚介類蝟集体２０や遊水室１４内の藻類定着部材３０に海草ａが定着して藻礁が形成される一方、魚類等が蝟集する魚礁となる。
（２）第２の実施形態について
図４に示す環境調和型防波堤１は、港外Ａと港内Ｂとを連通する透過部２３を設け、港内の浄化機能や魚道機能等を高めた点が第１の実施形態のものと異なるが、その他の点については変わりがないので、同じ部位に同じ符号を付けて詳しい説明を省略する。
（３）第３の実施形態について
図５に示す環境調和型防波堤１は、港外Ａと港内Ｂとを連通する透過部２３の出入口に、例えば、鉄骨等を格子状に組み付けた骨組み構造物２４を取り付け、魚類等の蝟集効果を高めるようにしたものであり、その他の点については変わりがないので、同じ部位に同じ符号を付けて詳しい説明を省略する。
（４）第４の実施形態について
図６に示す環境調和型防波堤１は、港内側のフーチング４の上方に人口浅場２５を形成し、藻場機能を付加するようにしたものであり、その他の点については変わりがないので、同じ部位に同じ符号を付けて詳しい説明を省略する。
（５）第５の実施形態について
図７に示す環境調和型防波堤１は、港内側の藻類定着体兼魚介類蝟集体２０の代わりに、港内側のフーチング４上に鋼鉄製の貝類保育牧柵２６及び貝類保育箱（図示せず）を昇降させる昇降設備２７を設置したものであり、その他の点については変わりがないので、同じ部位に同じ符号を付けて詳しい説明を省略する。
（６）その他の実施形態について
上記ケーソン２は、着底式の護岸に適用することができる。その場合は、導水管１６や透過部２３の背面側を閉鎖し、海水がケーソン２の背面側に達しないようにする。
【００２０】
また、図８に示すように、フーチング４の上面に複数の凹部２８を設け、その中に蛇篭等を敷設するようにしても良い。この場合は、凹部２８上の藻類定着体兼魚介類蝟集体２０は、底部の面格子が不要になる。
【００２１】
また、図９に示すように、フーチング４の上面に多数の横長の溝２９を設けて藻場を形成することも可能である。溝２９の断面形状としては、Ｕ字形（図１０（ａ））、クサビ形（図１０（ｂ））、Ｖ字形（図１０（ｃ））などを挙げることができる。
【００２２】
【発明の効果】
上記のように、本発明は、防波堤や護岸等の着底式の水中構築物において、水中構築物本体と、該水中構築物本体の港内側及び港外側に配したフーチングから構成され、かつ、前記フーチング上に藻類の定着や魚介類の蝟集を計る藻類定着体兼魚介類蝟集体を設置し、かつ、該藻類定着体兼魚介類蝟集体内に栗石やカキ殻等の藻類定着材を充填させた蛇篭を詰めたので、下記のような優れた効果を有する。
【００２３】
すなわち、
（１）　フーチングの上部空間を有効利用して、予め、フーチング上に藻類定着体兼魚介類蝟集体を設置させているから、防波堤や護岸等の構築と同時に藻場や魚礁などの附帯設備を設置することができる。
【００２４】
従って、防波堤や護岸等の構築後に、藻場や魚礁などの附帯設備を設置していた従来の方法に比べて工事期間を大幅に短縮することができる。
【００２５】
（２）　また、藻類定着体兼魚介類蝟集体内に蛇篭等を格納した場合、蛇篭等の流失を未然に防止することができ、藻礁や魚礁の早期回復を計ることが可能となる。
【００２６】
（３）　藻礁や魚礁の回復に伴う微生物の海水浄化により、周辺海域の水質の改善を計ることが可能となる。
【００２７】
（４）　魚類や底生生物の蝟集効果を高めることが可能となる。
【図面の簡単な説明】
【図１】本発明に係る環境調和型水中構築物の一部断面を含む斜視図である。
【図２】ケーソンの一部断面を含む斜視図である。
【図３】藻場が回復した状態を示す説明図である。
【図４】本発明に係る環境調和型水中構築物の他の一例を示す一部断面を含む斜視図である。
【図５】本発明に係る環境調和型水中構築物の他の一例を示す一部断面を含む斜視図である。
【図６】本発明に係る環境調和型水中構築物の他の一例を示す一部断面を含む斜視図である。
【図７】本発明に係る環境調和型水中構築物の他の一例を示す一部断面を含む斜視図である。
【図８】本発明にかかる環境調和型水中構築物の他の一例を示す要部拡大斜視図である。
【図９】本発明にかかる環境調和型水中構築物の他の一例を示す要部拡大斜視図である。
【図１０】（ａ）、（ｂ）、（ｃ）溝の横断面図である。
【符号の説明】
Ａ　港外
Ｂ　港内
１　防波堤や護岸等の着底式の水中構築物
３　水中構築物本体
４　フーチング
２０　藻類定着体兼魚介類蝟集体
【図１】
2004068379.tif 000003
【図２】
2004068379.tif 000004
【図３】
2004068379.tif 000005
【図４】
2004068379.tif 000006
【図５】
2004068379.tif 000007
【図６】
2004068379.tif 000008
【図７】
2004068379.tif 000009
【図８】
2004068379.tif 000010
【図９】
2004068379.tif 000011
【図１０】
2004068379.tif 000012